(57)【要約】内部に空間部を有し、使用者の首の頸椎部位の側面と後面部位に対応する形態を有する本体と、本体の空間部内に収容され、首の頸椎の両側部位に対応する形態を有し、駆動手段によって水平左、右移動可能なバー（Ｂａｒ）形態の両側指圧具と、両側指圧具の間に位置するように配置され、首の頸椎の後面部位を指圧および刺激するように回転手段によって回転可能に配置されるローラ形態の回転指圧具と、回転指圧具の間に配置され、外部電源が印加されることによってそれ自体で発熱して遠赤外線を放出する発熱体とから構成された頸部用マッサージ装置が開示される。この構成によれば、使用者の身体条件に合わせて両側指圧具の間隔を可変するように調節することができるため、水平移動範囲を縮小して患者に無理な力を加えないようにすることにより、使用者の安全を保障し、製品の信頼性を向上させられる利点を有する。
2011512890.tif 000002
【特許請求の範囲】
【請求項１】
首の頸椎部位の側面と後面に接触する形態を有する本体と、
前記本体の内部に収容され、首の両側面部位に各々接触するように互いに離隔および対称するように配置され、駆動手段によって前記首の両側面部位を指圧する両側指圧具と、
前記両側指圧具の間に互いに離隔するように配置され、回転手段によって回転して前記首の頸椎後面部位を指圧する回転指圧具とを備えることを特徴とするマッサージ装置。
【請求項２】
前記駆動手段は、前記両側指圧具が各々配置された両側支持ブロックと、
前記両側支持ブロックを周期的に左、右に連動させるカム駆動部とを備えることを特徴とする、請求項１に記載の頸部用マッサージ装置。
【請求項３】
前記カム駆動部は、前記両側支持ブロックの下部に配置される延長バーと、
前記延長バーの端部が収容され、それ自体で回転する時に前記延長バーを左、右に移動させるカム経路が外周面に形成されたカム部材と、
前記カム部材に軸方向に結合され、第２モータの駆動力で前記カム部材を回転させる軸部材とを備えることを特徴とする、請求項２に記載の頸部用マッサージ装置。
【請求項４】
前記カム駆動部は、前記両側支持ブロックに軸方向に結合され、前記両側支持ブロックの横方向移送をガイドするガイドバーをさらに備えることを特徴とする、請求項３に記載の頸部用マッサージ装置。
【請求項５】
前記軸部材は、外周面が複数の面を有する角面体であることを特徴とする、請求項３に記載の頸部用マッサージ装置。
【請求項６】
前記回転指圧具は、前記首部位に対応するように上部が“Ｃ”ライン形態で構成されるガイドブロックと、
前記ガイドブロックに貫通する連結軸を介して連結され、前記ガイドブロックの両側に離隔するように配置され、前記首の頸椎後面の両側部位を各々指圧するように回転可能であり、外周面に凹凸形態の突出部が形成された回転ローラとを備えることを特徴とする、請求項１に記載の頸部用マッサージ装置。
【請求項７】
前記回転手段は、前記本体内に収容され、外部電源が印加されることによって駆動する第３モータと、
一端部が前記第３モータのモータ軸に結合されて回転可能なカプラーと、
一端部が前記カプラーの他端部に結合され、前記カプラーが回転する時にクランク回転するリンク片と、
前記リンク片と連結されて円弧運動する第１レバー部材と、
前記第１レバー部材の他端部とピン結合し、端部が連結軸と連結され、前記ガイドブロックに形成されたスライド孔の内部に前記連結軸を転がり運動させる第２レバー部材とを備えることを特徴とする、請求項６に記載の頸部用マッサージ装置。
【請求項８】
前記第３モータの回転数を検知し、これを電気的信号として出力するセンサ部材と、
前記センサ部材の信号の印加を受け、前記第３モータが停止する時に前記連結軸を定位置に復帰させる制御信号を出力する制御部とをさらに備えることを特徴とする、請求項７に記載の頸部用マッサージ装置。
【請求項９】
前記ガイドブロックの上部に配置され、外部電源によってそれ自体で発熱する発熱体をさらに備えることを特徴とする、請求項６に記載の頸部用マッサージ装置。
【請求項１０】
前記発熱体は、外部電源が印加されることによって遠赤外線を放出する遠赤外線面上発熱体を採用することを特徴とする、請求項９に記載の頸部用マッサージ装置。
【請求項１１】
前記両側指圧具は、相互間の距離を調節するための間隔調節手段をさらに備えることを特徴とする、請求項１〜１０のうちのいずれか一項に記載の頸部用マッサージ装置。
【請求項１２】
前記間隔調節手段は、前記両側指圧具が各々内部に収容される両側ケースと、
前記両側ケースの下部と連結手段を介して着脱可能に嵌合される両側移動ナットと、
外部信号によって駆動され、前記両側移動ナットを水平移動させるように前記両側移動ナットに締結され、外周面の両側に相異なる螺旋方向のねじ山が形成された第１モータ軸を有する第１モータとを備えることを特徴とする、請求項１１に記載の頸部用マッサージ装置。
【請求項１３】
前記連結手段は、前記移動ナットの外周面の両側に形成される溝部と、
前記両側ケースの下部から両側に延びて前記溝部に嵌合される複数の固定片とを備えることを特徴とする、請求項１２に記載の頸部用マッサージ装置。
【請求項１４】
前記駆動手段は、外部電源が印加されることによって駆動回転する駆動モータと、
前記駆動モータの駆動力の伝達を受け、前記両側指圧具に駆動回転力を付与し、複数のギアからなる駆動歯車部と、
前記駆動歯車部のギアのうちの端部に位置したギアの駆動回転力を前記両側指圧具の左、右進行方向に変換させ、前記両側指圧具を水平方向に左、右移動させる方向転換部とを備えることを特徴とする、請求項１に記載の頸部用マッサージ装置。
【請求項１５】
前記方向転換部は、前記両側指圧具が水平方向に左、右移動するように前記駆動歯車部のギアのうちの端部に位置したギアの一側面に一体に形成され、外周面に相異なる外径を有するように凹部と凸部を有する偏心カムと、
前記偏心カムの外周面に接触し、前記移動ケースに一体に連結されて回転可能になるように移動ピンとを備えることを特徴とする、請求項１４に記載の頸部用マッサージ装置。
【請求項１６】
前記回転指圧具は前記首の頸椎後面の両側部位を各々指圧するように両側に離隔するように配置され、外周面に複数の指圧突起が突出するように形成されたローラ形態で構成されることを特徴とする、請求項１４に記載の頸部用マッサージ装置。
【請求項１７】
前記回転手段は、前記本体内に収容され、外部電源が印加されることによって回転駆動されるモータ軸を有する回転モータと、
前記回転モータのモータ軸に歯車結合して連動するように回転軸を中心に回転する回転ギアと、
前記回転ギアの回転軸と貫通するように結合して連動回転する回転レバーと、
前記回転レバーの下部にピンを介して連結され、前記回転レバーの動きに応じて連動するように回転する回転ロッドと、
前記回転ロッドの上部に連結され、両側に配置された回転指圧具を連結する連結軸と、
前記回転指圧具の間に配置され、前記連結軸の一部が貫通するように結合され、前記連結軸が転がり運動するようにガイドするガイドブロックとを備えることを特徴とする、請求項１４に記載の頸部用マッサージ装置。
【請求項１８】
前記回転手段は、前記本体内に収容され、外部電源が印加されることによって回転駆動され、外周面にスライド溝が形成されたモータ軸を有する回転モータと、
一端部が前記モータ軸のスライド溝に沿ってスライド移動し、他端部に前記回転指圧具と連結されたリンク部材が連動するように連結され、前記モータ軸の回転力を直線運動に変換させる移動バーと、
前記移動バーの一部位が収容されて左、右流動を防止すると共に前記移動バーの直線運動をガイドする移動ガイドと、
前記リンク部材の上部に連結され、両側に配置された回転指圧具を連結する連結軸と、
前記回転指圧具の間に配置され、前記連結軸の一部が貫通するように結合され、前記連結軸が転がり運動するようにガイドするガイドブロックとを備えることを特徴とする、請求項１４に記載の頸部用マッサージ装置。
【請求項１９】
前記両側指圧具は、相互間の距離を可変するように離隔させるための間隔調節手段をさらに備えることを特徴とする、請求項１４に記載の頸部用マッサージ装置。
【請求項２０】
前記間隔調節手段は、前記両側指圧具の一面に各々一体に結合される移動具と、
前記移動具の一部位に貫通するように結合され、外部電源が印加されることによって正、逆回転して前記移動具を水平方向左、右移動させるように外周面にねじ山が形成されるモータ軸を有する調節モータと、
前記移動具の一部位が貫通するように結合され、前記両側指圧具の水平移動を支持する移動ケースとを備えることを特徴とする、請求項１９に記載の頸部用マッサージ装置。
【請求項２１】
前記移動具は、前記両側指圧具の一面に複数離隔した状態で外側に突出するように形成される支持軸と、
前記支持軸の端部が貫通結合して固定され、前記調節モータのモータ軸と噛合するように結合され、前記調節モータの駆動時にモータ軸のねじ山に沿って左、右移動する移動ブロックとから構成されることを特徴とする、請求項２０に記載の頸部用マッサージ装置。
【請求項２２】
前記支持軸と移動ブロックとの間に介在して緩衝機能を有する緩衝材をさらに備えることを特徴とする、請求項２１に記載の頸部用マッサージ装置。
【発明の詳細な説明】
【技術分野】
【０００１】
本発明は頸部用マッサージ装置に関し、特に使用者の身体条件に合わせて間隔調節が可能であり、使用者の頸椎の両側および後面部位を同時にマッサージできると共に温熱機能および遠赤外線放出機能を付与できるようにその構造が改良された頸部用マッサージ装置に関する。
【背景技術】
【０００２】
一般的に、人体部位中の頸椎は脊椎の上段部位、人体の頸部にある椎骨を意味するものであり、７個の脊椎骨からなり、腰椎と胸椎とは異なり、回転運動や屈曲および伸展運動が可能となっている。
【０００３】
既存の頸椎疾患としてはむち打ち症、頸椎椎間板脱出症、頸椎骨折、頸椎脊椎管狭窄症、後縦靱帯骨化症、脊髄腫瘍などがあり、この中のよくある疾患はむち打ち症および頸椎椎間板脱出症である。
【０００４】
むち打ち症（ｗｈｉｐｌａｓｈ  ｉｎｊｕｒｙ）は、頸椎を支持する周囲の筋肉や靭帯などが非正常的に緊張または弛緩していたり、頸椎部が外力によって過伸展あるいは過屈曲したり、捩れまたは軸で圧迫される時に首筋肉と頸椎周囲を囲む筋肉、靭帯などが伸びたり破裂したりして腫れて痛い症状を持つものである。
【０００５】
また、頸椎椎間板脱出症（ｒｕｐｔｕｒｅｄ  ｃｅｒｖｉｃａｌ  ｄｉｓｋ）は、一般的に頸椎椎間板ヘルニアといわれ、椎間板の退行性変化によって発生する疾患である。
【０００６】
前記頸椎椎間板脱出症は外傷または慢性刺激によって発生し得るし、老化が進行されることによって退行性で発生したり、日常生活で不適切な姿勢で長時間固定された状態を維持したりする場合に急性で発生し得る。
【０００７】
上記のケースに該当する首筋肉の硬直や弛緩現象は物理的な刺激を伝達する物理治療器を利用して治療することが好ましい。
【０００８】
ところで、既存の物理治療器は、脊椎を刺激する加圧部材が単に脊椎部位に沿って直線に往復移動しながら熱を加える方式の物理治療器を採用したり、低周波を利用して間歇的に身体の特定部位に物理的刺激を加える低周波物理治療器を主に採用したりしている。
【０００９】
前者の場合は単に脊椎部位を刺激する機能だけを有するので頸椎疾患を有する患者には好適ではなく、後者の場合は頸椎部位に直接的な刺激を加えにくい短所がある。
【００１０】
また、人体の頸椎部位は湾曲した構造的特性を有するため、これを考慮した物理治療器が求められる実情である。
【００１１】
また、既存の頸椎部位を指圧する頸部用マッサージ装置は、単に楕円軌道回転方式によって首の側面部位を両側からもんだり打ったりする方式を有するか、首の後面頸椎ラインに沿って移動する形態で刺激する方式を有するため、単に首の偏重した一部位を刺激する方式では、頸椎部位の周辺筋肉がかたまっているのを効率的に解消できない問題点がある。
【００１２】
また、従来の頸椎マッサージ装置は、使用者の体形を考慮せずに首周囲を加圧して刺激するため、使用者によっては無理な損傷を与える恐れがあった。
【発明の概要】
【発明が解決しようとする課題】
【００１３】
本発明は、前記諸問題点を考慮し、これを解決するために提案されたものであり、その目的は、首の側面部位と後面部位を共に指圧できるだけでなく、使用者の身体環境に合わせて首部位の幅を調節できるようにその構造が改善された頸部用マッサージ装置を提供することにある。
【００１４】
本発明のまた他の目的は、遠赤外線発熱部を備えることにより、指圧機能と共に温熱機能を兼ね備えた頸部用マッサージ装置を提供することにある。
【課題を解決するための手段】
【００１５】
前記目的を達成するために、本発明は、首の頸椎部位の側面と後面に接触する形態を有する本体と、
前記本体の内部に収容され、前記首の両側面部位に各々接触するように互いに離隔および対称するように配置され、駆動手段によって前記首の両側面部位を指圧する両側指圧具と、
前記両側指圧具の間に互いに離隔するように配置され、回転手段によって回転して前記首の頸椎の後面部位を指圧する回転指圧具とを備え、
前記駆動手段は、前記両側指圧具が各々配置された両側支持ブロックと、
前記両側支持ブロックを周期的に左、右に連動させるカム駆動部とを備えることを特徴とする。
【００１６】
前記カム駆動部は、前記両側支持ブロックの下部に配置される延長バーと、
前記延長バーアの端部が収容され、それ自体で回転する時に前記延長バーを左、右に移動させるカム経路が外周面に形成されたカム部材と、
前記カム部材に軸方向に結合され、第２モータの駆動力で前記カム部材を回転させる軸部材とを備える。
【００１７】
前記カム駆動部は、前記両側支持ブロックに軸方向に結合され、前記両側支持ブロックの横方向移送をガイドするガイドバーをさらに備える。
【００１８】
前記軸部材は、外周面が複数の面を有する角面体を採用する。
【００１９】
前記回転指圧具は、前記首部位に対応するように上部が“Ｃ”ライン形態で構成されるガイドブロックと、
前記ガイドブロックに貫通する連結軸を介して連結され、前記ガイドブロックの両側に離隔するように配置され、前記首の頸椎の後面両側部位を各々指圧するように回転可能であり、外周面に凹凸形態の突出部が形成された回転ローラとを備える。
【００２０】
前記回転手段は、前記本体内に収容され、外部電源が印加されることによって駆動される第３モータと、
一端部が前記第３モータのモータ軸に結合されて回転可能なカプラーと、
一端部が前記カプラーの他端部に結合され、前記カプラーが回転する時にクランク回転するリンク片と、
前記リンク片と連結されて円弧運動する第１レバー部材と、
前記第１レバー部材の他端部とピン結合し、端部が連結軸と連結され、前記ガイドブロックに形成されたスライド孔の内部に前記連結軸を転がり運動させる第２レバー部材とを備える。
【００２１】
前記カプラーの回転数を検知し、これを電気的信号として出力するセンサ部材と、
前記センサ部材の信号の印加を受け、前記第３モータが停止する時に前記連結軸を定位置に復帰させる制御信号を出力する制御部とを備える。
【００２２】
前記ガイドブロックの上部に配置され、外部電源によってそれもので発熱する発熱体をさらに備える。
【００２３】
前記発熱体としては、外部電源が印加されることによって遠赤外線を放出する遠赤外線面上発熱体を採用する。
【００２４】
また、前記両側指圧具は、相互間の距離を調節するための間隔調節手段をさらに備える。
【００２５】
前記間隔調節手段は、前記両側指圧具が各々内部に収容される両側ケースと、
前記両側ケースの下部と連結手段を介して着脱可能に嵌合される両側移動ナットと、
外部信号によって駆動され、前記両側移動ナットを水平移動させるように前記両側移動ナットに締結され、外周面の両側に相異なる螺旋方向のねじ山が形成された第１モータ軸を有する第１モータとを備える。
【００２６】
前記連結手段は、前記移動ナットの外周面の両側に形成される溝部と、
前記両側ケースの下部から両側に延びて前記溝部に嵌合される複数の固定片とを備える。
【発明の効果】
【００２７】
本発明は、首の後面および側面部位を共に指圧および刺激するマッサージ機能を有すると共に、遠赤外線温熱機能を利用して頸椎部位の疲労を大幅に軽減させることができ、これによれば、本発明は、使用者の身体条件に合わせて両側指圧具の間隔を可変するように調節することができるため、水平移動範囲を縮小して患者に無理な力を加えないようにすることにより、使用者の安全を保障し、製品の信頼性を向上させられる利点を有する。
【００２８】
また、本発明は、一つの装置で使用者の頸椎部位を両側面と後面から共にマッサージすることにより、マッサージ効率を大幅に増大させられる効果を有する。
【００２９】
さらに、遠赤外線面上発熱体を利用してマッサージ中に温熱機能および遠赤外線放出機能を提供することにより、使用者の疲労度を容易に軽減させられる利点を有する。
【図面の簡単な説明】
【００３０】
【図１】本発明に係る頸部用マッサージ装置の外観を示す斜視図である。
【図２】本発明に係る頸部用マッサージ装置の第１実施形態の内部構成を示す斜視図である。
【図３】本発明の回転手段と駆動手段を示す斜視図である。
【図４】図３の回転手段と駆動手段に両側ケースと両側支持ブロックが結合された状態を示す斜視図である。
【図５】本発明のカム部材を示す分解斜視図である。
【図６】本発明の両側支持ブロックが移動する前に延長バーとカム経路の関係を示す平面図である。
【図７】本発明の両側支持ブロックが水平移動した後の延長バーがカム経路に沿って移動した状態を示す平面図である。
【図８】本発明の移動ナットと両側ケースの結合前構造を示す分解斜視図である。
【図９】本発明の間隔調節手段の使用状態を概略的に示す図面であって、両側ケースが中央側に移動する状態を示す構成図である。
【図１０】本発明の間隔調節手段の使用状態を概略的に示す図面であって、両側ケースが再び外側の元位置に復帰移動する状態を示す構成図である。
【図１１】本発明の回転手段の作動状態を順次示す使用状態図である。
【図１２】本発明の回転手段の作動状態を順次示す使用状態図である。
【図１３】本発明の回転手段の作動状態を順次示す使用状態図である。
【図１４】本発明の第２実施形態の内部構成を示す斜視図である。
【図１５】本発明の第２実施形態の間隔調節手段の作動構造を示す斜視図である。
【図１６】本発明の第２実施形態の回転手段を示す斜視図である。
【図１７】本発明の第２実施形態の回転手段の分解斜視図である。
【図１８】本発明の第２実施形態の駆動手段の他例を概略的に示す斜視図である。
【図１９】本発明の第２実施形態の移動ピンが偏心カムの凹部に位置する時の状態を示す正面図である。
【図２０】本発明の第２実施形態の移動ピンが偏心カムの凸部に位置する時の状態を示す正面図である。
【図２１】本発明の使用状態図である。
【図２２】本発明の第３実施形態を示す図面であって、本発明の回転手段の他例の構成を概略的に示す構成図である。
【図２３】本発明の第３実施形態を示す図面であって、本発明の移動バーの前、後進動作を概略的に示す平面図である。
【発明を実施するための形態】
【００３１】
以下、本発明の好ましい実施形態を添付図面を参照してより詳細に説明する。
【００３２】
第１実施形態
本発明による頸部用マッサージ装置の第１実施形態を図１〜図１３を参照して説明すれば、その構成は、内部に空間部を有し、使用者の首の頸椎の側面と後面部位に対応する形態を有する本体１０と、本体１０の空間部内に収容され、首の頸椎の両側部位に対応する形態を有し、駆動手段によって水平左、右移動可能なバー（Ｂａｒ）形態の両側指圧具１００と、両側指圧具１００の間に位置するように配置され、首の頸椎の後面部位を指圧および刺激するように回転手段によって回転可能に配置されるローラ形態の回転指圧具３００と、回転指圧具３００の間に配置され、外部電源が印加されることによってそれ自体で発熱して遠赤外線を放出する発熱体４００とから構成される。
【００３３】
より詳細に説明すれば、本体１０は、使用者の頸椎部位の側面と後面を共に支持するように中央部位１２が窪んだ溝形態を有する。
【００３４】
また、本体１０は、使用者の頸椎部位と接触する中央部位１２が内部に配置された両側指圧具１００の移動が可能になるように伸縮可能な素材（例；布、ウレタンなど）から構成されている。
【００３５】
また、両側指圧具１００は、使用者の首の両側面部位に指圧および刺激を加えるように互いに離隔し、両側に対向するように配置される。
【００３６】
駆動手段は、両側指圧具１００が各々配置された両側支持ブロック６５と、両側支持ブロック６５を周期的に左、右に連動させるカム駆動部とを備える。
【００３７】
カム駆動部は、両側支持ブロック６５の下部に配置される延長バー６５ａと、延長バー６５ａの端部が収容され、それ自体で回転する時に延長バー６５ａを左、右に水平移動させるようにカム経路７２が外周面に形成されたカム部材７０と、カム部材７０に軸方向に結合され、第２モータ４０の駆動力で前記カム部材７０を回転させる軸部材４２とを備える。
【００３８】
カム部材７０は外周面に曲線形態のカム経路７２（ｐａｔｈ）が形成され、組み立てる時に延長バー６５ａの端部が容易に収容されるように左、右の両側に分割され、組み立て可能な第１、２カム部材（７０Ａ、７０Ｂ）で構成される。
【００３９】
軸部材４２は外周面が複数の面を有する角面体で構成される。
【００４０】
回転指圧具３００は、首部位に対応するように上部が“Ｃ”ライン形態で構成されるガイドブロック２５９と、ガイドブロック２５９に貫通する連結軸３１０を介して連結され、ガイドブロック２５９の両側に離隔するように配置された回転ローラ３０５とから構成される。
【００４１】
回転ローラ３０５は、首の頸椎後面の両側部位を各々指圧するように回転可能であり、外周面に凹凸形態の突出部３０５ａが形成されている。
【００４２】
回転手段は、本体１０内に収容され、外部電源が印加されることによって駆動される第３モータ５０と、一端部が第３モータ５０のモータ軸に結合されて回転可能なカプラー５２と、一端部がカプラー５２の他端部に結合され、カプラー５２が回転する時にクランク回転するリンク片５３と、リンク片５３と連結されて円弧運動する第１レバー部材５４と、第１レバー部材５４の他端部とピン結合し、一端部が連結軸３１０と連結され、ガイドブロックに形成されたスライド孔の内部に連結軸３１０を転がり運動させる第２レバー部材５６とを備える。
【００４３】
第２レバー部材５６は、他端部がガイドブロック２５９に軸結合して回転可能な構造になっている。
【００４４】
また、本発明は、第３モータ５０が停止する時に回転指圧具を定位置に復帰させる復帰手段が備えられる。
【００４５】
復帰手段は、第３モータ５０と、カプラー５２またはリンク片５３の回転数を検知し、これを電気的信号として出力するセンサ部材８０と、センサ部材８０の信号の印加を受け、前記第３モータ５０が停止する時に前記連結軸３１０を定位置に復帰させる制御信号を出力する制御部９０とを備える。
【００４６】
また、制御部９０は、操作器による指圧機能が完了する場合、第２モータ４０を停止させる制御信号を出力し、第１モータ３０を駆動させ、両側指圧具が再び元位置（定められた位置）に復帰させる制御信号を出力する。
【００４７】
また、本体１０内に位置するガイドブロック２５９の外面に配置され、外部電源が印加されることによって発熱する発熱体４００をさらに備える。
【００４８】
発熱体４００は、それ自体で発熱する時に遠赤外線を放出するフィルム形態の遠赤外線面上発熱体（ｉｎｎｏｆｏｉｌ）を採用することが好ましい。
【００４９】
両側指圧具１００は、相互間の距離を調節するための間隔調節手段をさらに備える。
【００５０】
間隔調節手段は、両側指圧具１００が支持されるように各々内部に配置される両側ケース６０と、両側ケース６０の下部と連結手段を介して着脱可能に嵌合される両側移動ナット３５と、両側移動ナット３５に締結され、外周面の両側に相異なる螺旋方向のねじ山が形成された第１モータ軸３２を有する第１モータ３０とを備える。
【００５１】
両側ケース６０は、水平移動をガイドするように２個のガイドバー６２が軸結合している。
【００５２】
両側ケース６０は、上部に両側支持ブロック６５が各々収容されて共に移動可能な構造になっている。
【００５３】
すなわち、第１モータ軸３２は、一側の外周面には右ねじ方向のねじ山が形成され、他側の外周面には左ねじ方向のねじ山が形成されている。
【００５４】
第１モータ３０は、外部信号によって駆動され、両側移動ナット３５を水平移動させる機能を果たす。
【００５５】
連結手段は、移動ナット３５の外周面の両側に形成される溝部３５ａと、両側ケース６０の下部から両側に延びて前記溝部３５ａに嵌合される複数の固定片６０ａとから構成される。
【００５６】
未説明符号は、第１モータ３０と第２モータ４０および第３モータ５０の駆動を各々制御するためのスイッチが配置された操作器２０と、操作器２０に連結された配線２５を各々示す。
【００５７】
このような構成を有する本発明の作用を説明すれば次の通りである。
【００５８】
本発明の第１実施形態による頸部用マッサージ装置は、使用者が首部位を本体１０に接触するようにした後、両側指圧具１００間の間隔を使用者の身体条件に合わせて調節すれば、使用者の首の後面部位がガイドブロック２５９の上面に接触し、首の両側部位が両側指圧具１００の間に位置するようになる。
【００５９】
この時、両側指圧具１００の間の間隔は、使用者の首部位の幅に合わせて使用者が間隔調節手段によって直接調節することができる。
【００６０】
この間隔調節手段の操作過程は、第１モータ３０が一方向に駆動されれば、第１モータ軸３２が一方向に回転し、回転力が第１モータ軸３２の両側に締結された各々の移動ナット３５に伝達される。
【００６１】
次に、回転力が伝達される移動ナット３５は外周面に形成された溝部３５ａに両側ケース６０の固定片６０ａが結合されているため、この結合構造によって回転が制限され、使用者の首部位側に水平移動するようになる。
【００６２】
この時、第１モータ軸３２の両側の外周面には相異なるねじ方向のねじ山が形成されているため、第１モータ軸３２が一方向に回転する時に両側指圧具１００が中央側（使用者の首部位側）に移動する。
【００６３】
その逆に、第１モータ３０が他方向に回転する時には、両側指圧具１００が再び外側に水平移動して元位置に復帰する。
【００６４】
このような過程を通じて両側指圧具１００が使用者の首部位に接触すれば、使用者が操作器２０を操作して駆動手段のカム駆動部を駆動させる。
【００６５】
カム駆動部は、第２モータ４０に外部電源が印加されることによって軸部材４２が共に回転し、軸部材４２の回転に応じてカム部材７０が共に回転する。
【００６６】
次に、両側支持ブロック６５は、カム部材７０が回転することにより、延長バー６５ａがカム部材７０の外周面に形成されたカム経路７２の内部に沿ってスライド移動し、両側支持ブロック６５が曲線形態のカム経路７２に沿って水平移動する。
【００６７】
これは、カム経路７２がカム部材７０の外周面に沿って斜線形態で形成されているため、延長バー６５ａがカム経路７２に沿って移動する過程で周期的に左、右水平移動するためである。
【００６８】
したがって、両側支持ブロック６５が周期的に水平移動することにより、両側支持ブロック６５に結合されて支持される両側指圧具１００が共に左、右に前、後進移動し、両側指圧具１００が使用者の首の両側部位を周期的に押して首の両側部位を左、右両側から指圧およびマッサージする。
【００６９】
また、使用者は操作器２０を操作して回転手段を駆動させることにより、回転指圧具がガイドブロック２５９を基準に前、後進移動しながら、使用者の首後面の頸椎部位に接触して経穴を刺激する。
【００７０】
この時、回転指圧具は、回転指圧具３００がガイドブロック２５９の結合孔２５９ａに沿って前、後進移動しながら使用者の首後面部位を指圧およびマッサージする。
【００７１】
この回転手段の動作過程は、第３モータ５０が外部電源が印加されることによって駆動され、モータ軸と結合されたカプラー５２を回転させる。
【００７２】
カプラー５２が回転する時、カプラー５２と結合されたリンク片５３の端部がクランク回転し、クランク回転するリンク片５３の端部と連結された第１レバー部材５４が円弧形態で回転運動する。
【００７３】
第１レバー部材５４が回転運動することにより、第２レバー部材５６がガイドブロック２５９に結合された軸を基準に共に回転する。
【００７４】
第２レバー部材５６の回転により、一端部に連結された連結軸３１０が共に回転し、ガイドブロック２５９のスライド孔２５９ａに沿って円弧運動する。
【００７５】
また、回転指圧具は連結軸３１０を中心に回転ローラ３０５が回転することができ、回転ローラ３０５の外周面に形成された突出部３０５ａが使用者の首の後面両側の頸椎部位と接触しながら指圧する。
【００７６】
一方、ガイドブロック２５９の外側面に備えられた発熱体４００に電源を印加すれば、遠赤外線面上発熱体がそれ自体で発熱し、温熱機能および遠赤外線放出機能を提供して使用者の疲労を容易に取り除くことができる。
【００７７】
第２実施形態
図１４〜図２１は本発明の第２実施形態を示すものであって、駆動手段は、本体１０の内部に配置され、外部電源が印加されることによって駆動回転する駆動モータ１１０と、駆動モータ１１０の駆動力の伝達を受けて両側指圧具１００に駆動回転力を付与し、複数のギア（１２１，１２２，１２３，１２４）からなる駆動歯車部１２０と、駆動歯車部１２０のギア（１２１，１２２，１２３，１２４）のうちの端部に位置したギア（以下、駆動ギアという）の回転方向を両側指圧具１００の左、右移動方向に変換させ、両側指圧具１００を水平方向に左、右移動させる方向転換部２４０とを備える。
【００７８】
方向転換部２４０は、両側指圧具１００が水平方向に左、右移動するように駆動歯車部１２０の駆動ギア１２４の一側面に一体に形成される偏心カム２４５と、この偏心カム２４５の外周面に接触し、移動ケース２３０に一体に連結され、ベアリングで連結された移動ピン２３５とを備える。
【００７９】
偏心カム２４５の外周面が凹部２４５ａと凸部２４５ｂを有するように形成され、偏心カム２４５の外側に移動ケース２３０の移動ピン２３５の回転運動時に回転運動を支持するように移動ピン２３５の端部が収容されるカムウェイ２４７が形成され、回転運動時に移動ケース２３０を水平方向に左、右移動させるように、外周面が同心円形態ではなく、偏心するように形成された構造になっている。
【００８０】
すなわち、偏心カム２４５の外周面に移動ピン２３５の一部が常時接触した状態で、ベアリング形態の移動ピン２３５が偏心カム２４５のカムウェイ２４７の内部に沿って回転することにより、移動ピン２３５と一体に連結された移動ケース２３０が水平方向に移動するようになる。
【００８１】
また、回転指圧具３００は首の頸椎後面の両側部位を各々指圧するように両側に離隔するように配置され、回転可能なローラ形態で構成され、ローラの外周面に複数の指圧突起３０２が突出するように形成された構造を有する。
【００８２】
回転手段は、本体１０内に収容され、外部電源が印加されることによって回転駆動されるモータ軸２５２を有する回転モータ２５１と、回転モータ２５１のモータ軸２５２に歯車結合して連動するように回転軸（２５４，２５８）を中心に回転する回転ギア２５３と、回転ギア２５３の回転軸（２５４，２５８）と貫通するように結合され、回転軸（２５４，２５８）と一体に連動するように結合され、回転軸（２５４，２５８）の回転に応じて連動回転する回転レバー（２５５，２５６）と、回転レバー（２５５，２５６）の下部部位にピンを介して連結され、回転レバー（２５５，２５６）の動きに応じて連動するように回転する回転ロッド２５７と、回転ロッド２５７の上部に連結され、両側に配置された回転指圧具３００を連結し、回転ロッド２５７の回転に応じて転がり運動する連結軸３１０と、回転指圧具３００の間に配置され、連結軸３１０の一部が貫通するように結合され、連結軸３１０が転がり運動するようにガイドするガイドブロック２５９とを備える。
【００８３】
回転レバー（２５５，２５６）は中央の回転ロッド２５７を基準に両側に配置され、両側の回転レバー（２５５，２５６）のうちの他側の回転レバー２５６の下部にピン２５６ａが一体に突出するように形成され、一側の回転レバー２５５にピン２５６ａ結合する構造を有する。
【００８４】
また、ピン２５６ａは外周面が四角形断面構造で形成され、ピン結合時に断面接触構造によって一側と他側の回転レバー（２５５，２５６）が共に連動する構造を有する。
【００８５】
回転軸（２５４，２５８）は両側の回転レバー（２５５，２５６）に各々軸結合するように左、右両側に配置され、一側の回転軸２５４は回転ギア２５３の中央に連動するように軸結合し、他側の回転軸２５８は、一端部が他側の回転レバー２５６に軸結合し、他端部がガイドブロック２５９に固定するように設けられたハウジング２５８ａに収容され、回転可能な構造になっている。
【００８６】
また、両側の回転軸（２５４，２５８）は各々の回転レバー（２５５，２５６）に貫通結合され、結合された一部位が面接触によって連動するように連結される。
【００８７】
ガイドブロック２５９は首の後面部位と接触して使用者の首部位を支持する機能をし、側面から見た時に連結軸３１０が貫通し、回転ロッド２５７の回転運動を支持するように円弧型の結合孔２５９ａが形成される。
【００８８】
回転指圧具３００は図面には図示していないが、連結軸３１０の端部にベアリングを介して結合されて自転運動可能な構造を有する。
【００８９】
すなわち、回転モータ２５１の回転時、モータ軸２５２と噛合した回転ギア２５３が連動回転し、回転ギア２５３と一体化した回転軸２５４が回転レバー（２５５，２５６）を回転させ、回転レバー（２５５，２５６）とピン結合した回転ロッド２５７が両側の回転軸（２５４，２５８）を中心に回転して、連結軸３１０が結合孔２５９ａ内において転がり運動する作動過程を有する。
【００９０】
また、両側指圧具１００は、使用者の身体条件に合わせて相互間の間隔を調節する間隔調節手段がさらに備えられることが好ましい。
【００９１】
間隔調節手段は、両側指圧具１００の一面に各々一体に結合される移動具２２０と、移動具２２０の一部位に貫通するように結合され、外部電源が印加されることによって正、逆回転して移動具２２０を水平方向に左、右移動させるように外周面にねじ山が形成されるモータ軸２１５を有する調節モータ２１０と、移動具２２０の一部位が貫通するように結合され、両側指圧具１００の水平移動を支持する移動ケース２３０とを備える。
【００９２】
移動具２２０は両側指圧具１００の一面に支持軸（２２２，２２４）が複数離隔した状態で外側に突出するように形成され、支持軸（２２２，２２４）の端部が貫通結合して固定され、調節モータ２１０のモータ軸２１５と噛合するように結合され、調節モータ２１０の駆動時にモータ軸２１５のねじ山に沿って左、右移動する移動ブロック２２５とから構成される。
【００９３】
より好ましくは、支持軸（２２２，２２４）と移動ブロック２２５との間に緩衝機能を有する緩衝材２５０が介在し、緩衝材２５０はスプリング部材またはそれ自体で弾性を有する素材（一例：シリコン）を採用することができる。
【００９４】
移動ケース２３０は駆動ギア１２４の上側に載置されて移動ピン２３５によって水平方向に移動する構造を有し、内部に調節モータ２１０のモータ軸２１５と支持軸（２２２，２２４）が収容される構造を有する。
【００９５】
未説明符号は、回転モータ２５１および駆動モータ１１０の駆動を各々制御するためのスイッチが備えられた操作器２０と、操作器２０に連結された配線２５を各々示す。
【００９６】
このような構造を有する本発明の第２実施形態の作用を説明すれば次の通りである。
【００９７】
本発明の第２実施形態による頸部用マッサージ装置は、使用者が首部位を本体１０に接触するようにした後、両側指圧具１００間の間隔を使用者の身体条件に合わせて調節すれば、使用者の首の後面部位がガイドブロック２５９の上面に接触し、首の両側部位が両側指圧具１００の間に位置するようになる。
【００９８】
この時、両側指圧具１００の間の間隔は間隔調節手段によって調節することができ、その操作過程は、調節モータ２１０を各々駆動させ、モータ軸２１５を正方向に回転させれば、各々のモータ軸２１５に結合された移動ブロック２２５がモータ軸２１５の外周面に形成されたねじ山に沿って前進移動して両側指圧具１００間の間隔が狭くなり、この逆にモータ軸２１５を逆方向に回転させれば、両側指圧具１００間の間隔が広くなる。
【００９９】
次に、使用者が操作器２０を操作して回転モータ２５１と駆動モータ１１０を各々駆動させれば、回転モータ２５１の動作によって回転指圧具３００がガイドブロック２５９の結合孔２５９ａに沿って前、後進移動しながら使用者の首の後面部位を指圧およびマッサージすると共に、駆動モータ１１０の動作によって両側指圧具１００が左、右移動しながら首の両側部位を左、右両側から指圧およびマッサージをするようになる。
【０１００】
この時、回転指圧具３００の動作過程は、回転モータ２５１の回転時にモータ軸２５２と噛合した回転ギア２５３が連動回転し、回転ギア２５３と一体化した回転軸２５４が一側の回転レバー２５５を回転させ、一側の回転レバー２５５とピン２５６ａ結合した他側の回転レバー２５６が共に連動回転しながら、ピン２５６ａを介して一体に結合された回転ロッド２５７が両側の回転軸（２５４，２５８）を中心に回転して、連結軸３１０が結合孔２５９ａ内において転がり運動して回転指圧具３００を前、後に移動させる。
【０１０１】
また、両側指圧具１００の動作過程は、駆動モータ１１０のモータ軸回転時にモータ軸と噛合した駆動歯車部１２０のギアが連動回転し、駆動歯車部１２０のギアが互いに噛合しているので駆動ギア１２４が連動回転し、移動ケース２３０の移動ピン２３５が駆動ギア１２４のカムウェイ２４７軌跡に沿って接触する途中、偏心カム２４５の凹部２４５ａと凸部２４５ｂ間の外径差によって移動ピン２３５が左、右移動しながら移動ケース２３０を共に左、右に移動させる。
【０１０２】
これにより、両側指圧具１００は左、右両側に移動しながら使用者の頸椎の両側部位を指圧およびマッサージすることになり、回転指圧具３００は頸椎の後面部位を指圧およびマッサージすることになって、頸椎部位の全体的な部位を共にマッサージすることになるので、頸椎部位の疲労が大幅に軽減され、マッサージ効率性が向上する。
【０１０３】
一方、ガイドブロック２５９の外側面に備えられた発熱体４００に電源を印加すれば、遠赤外線面上発熱体がそれ自体で発熱し、温熱機能および遠赤外線放出機能を提供することができるので使用者の疲労を容易に取り除くことができる。
【０１０４】
第３実施形態
一方、図２２と図２３は回転手段の他例を示すものであって、本体１０内に収容され、外部電源が印加されることによって回転駆動され、外周面にスライド溝２５２ａが形成されたモータ軸２５２を有する回転モータ２５１と、一端部にモータ軸のスライド溝２５２ａに沿ってスライド移動する移動突起２６０ａが形成され、他端部に回転指圧具３００と連結されたリンク部材２６５が連動軸２６０ｂを介して連動するように連結され、モータ軸２５２の回転力を直線運動に変換させる移動バー２６０と、移動バー２６０の一部位が収容されて左、右流動を防止すると共に移動バー２６０の直線運動をガイドする移動ガイド２６２と、リンク部材２６５の上部に連結され、両側に配置された回転指圧具３００を連結する連結軸３１０と、回転指圧具３００の間に配置され、連結軸３１０の一部が貫通するように結合され、連結軸３１０が転がり運動するようにガイドするブロック２５９とから構成される。
【０１０５】
これは、回転モータ２５１のモータ軸２５２の外周面に形成されたスライド溝２５２ａに移動バー２６０の移動突起２６０ａがスライド移動可能に収容されているため、モータ軸２５２の回転時にスライド溝２５２ａの軌跡に沿って移動バー２６０が前、後進移動し、次に移動バー２６０の前、後進移動時にリンク部材２６５が連動軸２６０ｂを中心に回転し、リンク部材２６５の回転によって連結軸３１０がガイドブロック２５９の結合孔２５９ａ内に転がり運動しながら前、後に移動する。
【０１０６】
すなわち、本発明の回転手段が回転モータ２５１の回転力を直線運動に変換させ、回転指圧具３００の前、後移動力として作用するようにした構成が前述した実施形態とは異なる構成にすることが可能であることを示す。
【図１】
2011512890.tif 000003
【図２】
2011512890.tif 000004
【図３】
2011512890.tif 000005
【図４】
2011512890.tif 000006
【図５】
2011512890.tif 000007
【図６】
2011512890.tif 000008
【図７】
2011512890.tif 000009
【図８】
2011512890.tif 000010
【図９】
2011512890.tif 000011
【図１０】
2011512890.tif 000012
【図１１】
2011512890.tif 000013
【図１２】
2011512890.tif 000014
【図１３】
2011512890.tif 000015
【図１４】
2011512890.tif 000016
【図１５】
2011512890.tif 000017
【図１６】
2011512890.tif 000018
【図１７】
2011512890.tif 000019
【図１８】
2011512890.tif 000020
【図１９】
2011512890.tif 000021
【図２０】
2011512890.tif 000022
【図２１】
2011512890.tif 000023
【図２２】
2011512890.tif 000024
【図２３】
2011512890.tif 000025
【国際調査報告】
2011512890.tif 000026
2011512890.tif 000027
2011512890.tif 000028
2011512890.tif 000029